(57)【要約】一体型の廃熱冷却回路を有する温度調整モジュールであって、少なくとも１つの空気入口ならびに第１および第２の離間した空気出口を有する、ハウジングであって、第１および第２の離間した空気出口は、それぞれの第１および第２の独立の空気通路の終端部分を画定する、ハウジングと、ハウジング内で回転するように支持される１つまたは複数のモータ駆動インペラであって、少なくとも１つの空気入口ならびに第１および第２の空気通路のうちの一方または両方と流体連通状態にある、１つまたは複数のモータ駆動インペラと、１つまたは複数の流体再循環ポンプと、ハウジングの第１の通路内で１つまたは複数のモータ駆動インペラと第１の空気出口との間に配置される、１つまたは複数の熱電素子であって、第１の主要側および第２の廃棄側を有し、電源を印加すると第１の主要側と第２の廃棄側との間に温度勾配を発生させるように適合される、少なくとも１つの熱電素子と、ハウジングの第２の通路内で少なくとも１つのモータ駆動インペラと第２の空気出口との間に配置される、１つまたは複数の熱交換器と、（ｉ）ハウジング内に全体が収容されるか、（ｉｉ）ハウジングの一部を形成するか、または（ｉ）および（ｉｉ）の両方である、流体循環回路であって、流体循環回路は、１つまたは複数の流体再循環ポンプと流体連通状態にあり、１つまたは複数の熱電素子の第２の廃棄側と熱連通状態にある流体を送り、そうすることで、第２の側によって供給される廃熱の少なくとも一部分を吸収し、次いで、後続の再循環のために１つまたは複数の流体再循環ポンプに流体を戻す前に、熱交換器に廃熱の一部分を放出するように１つまたは複数の熱交換器と熱連通状態にある流体を送る、流体循環回路と、を備え、１つまたは複数のモータ駆動インペラは、（ｉ）少なくとも１つの空気入口からの空気が、ハウジング内の第１の通路を通るように方向付けられ、１つまたは複数の熱電素子の第１の主要側を通り越した後で第１の出口から出て、（ｉｉ）少なくとも１つの空気入口からの空気が、ハウジング内の第２の通路を通るように方向付けられ、１つまたは複数の熱交換器を通り越した後で第２の出口から出るように動作可能である、温度調整モジュール。【選択図】図３
2017518912.tif 000002
【特許請求の範囲】
【請求項１】
一体型の廃熱冷却回路を有する温度調整モジュールであって、
少なくとも１つの空気入口ならびに第１および第２の離間した空気出口を有する、ハウジングであって、前記第１および第２の離間した空気出口は、それぞれの第１および第２の独立の空気通路の終端部分を画定する、ハウジングと、
前記ハウジング内で回転するように支持される１つまたは複数のモータ駆動インペラであって、前記少なくとも１つの空気入口ならびに前記第１および前記第２の空気通路のうちの一方または両方と流体連通状態にある、１つまたは複数のモータ駆動インペラと、
１つまたは複数の流体再循環ポンプと、
前記ハウジングの前記第１の通路内で前記１つまたは複数のモータ駆動インペラと前記第１の空気出口との間に配置される、１つまたは複数の熱電素子であって、第１の主要側および第２の廃棄側を有し、電源を印加すると前記第１の主要側と前記第２の廃棄側との間に温度勾配を発生させるように適合される、少なくとも１つの熱電素子と、
前記ハウジングの前記第２の通路内で前記少なくとも１つのモータ駆動インペラと前記第２の空気出口との間に配置される、１つまたは複数の熱交換器と、
（ｉ）前記ハウジング内に全体が収容されるか、（ｉｉ）前記ハウジングの一部を形成するか、または（ｉ）および（ｉｉ）の両方である、流体循環回路であって、前記流体循環回路は、前記１つまたは複数の流体再循環ポンプと流体連通状態にあり、前記１つまたは複数の熱電素子の前記第２の廃棄側と熱連通状態にある流体を送り、そうすることで、前記第２の側によって供給される廃熱の少なくとも一部分を吸収し、次いで、後続の再循環のために前記１つまたは複数の流体再循環ポンプに前記流体を戻す前に、前記熱交換器に前記廃熱の前記一部分を放出するように、前記１つまたは複数の熱交換器と熱連通状態にある前記流体を送る、流体循環回路と、
を備える温度調整モジュールであって、
前記１つまたは複数のモータ駆動インペラは、（ｉ）前記少なくとも１つの空気入口からの空気が、前記ハウジング内の前記第１の通路を通るように方向付けられ、前記１つまたは複数の熱電素子の前記第１の主要側を通り越した後で前記第１の出口から出て、（ｉｉ）前記少なくとも１つの空気入口からの空気が、前記ハウジング内の前記第２の通路を通るように方向付けられ、前記１つまたは複数の熱交換器を通り越した後で前記第２の出口から出るように動作可能である、温度調整モジュール。
【請求項２】
前記流体循環回路は、流体を連続して再循環させる閉ループである、請求項１に記載の温度調整モジュール。
【請求項３】
前記１つまたは複数のモータ駆動インペラは２つのモータ駆動インペラであり、一方のモータ駆動インペラは前記１つまたは複数の熱交換器全体にわたって空気を移動させ、一方のモータ駆動インペラは前記１つまたは複数の熱電素子全体にわたって空気を移動させる、請求項１〜２の何れか一項に記載の温度調整モジュール。
【請求項４】
前記少なくとも１つの空気入口は対向する２つの空気入口であり、前記空気入口のそれぞれは前記２つのモータ駆動インペラのうちの一方と位置合わせされる、請求項３に記載の温度調整モジュール。
【請求項５】
前記流体はグリコール、水、冷却材またはそれらの組み合わせである、請求項１〜４の何れか一項に記載の温度調整モジュール。
【請求項６】
前記ハウジングは、前記ハウジング全体にわたる空気の循環を可能にする通気孔を１つまたは複数含む、請求項１〜５の何れか一項に記載の温度調整モジュール。
【請求項７】
前記１つまたは複数の通気孔は、前記１つもしくは複数のモータ駆動インペラの周りの空気、静止空気を有する領域からの空気、またはその両方を循環させる、請求項６に記載の温度調整モジュール。
【請求項８】
前記流体循環回路は、前記流体循環回路に流体を追加できるように注入口を１つまたは複数含む、請求項１〜７の何れか一項に記載の温度調整モジュール。
【請求項９】
前記流体循環回路は、前記１つまたは複数の熱電素子と接触状態にある熱伝達プレートを１つまたは複数含み、前記１つまたは複数の熱伝達プレートは、前記熱電素子から前記流体循環回路の前記流体に熱を伝達する、請求項１〜８の何れか一項に記載の温度調整モジュール。
【請求項１０】
前記１つまたは複数の熱交換器は、前記流体から周囲に熱を伝達する熱伝達プレートを１つまたは複数含む、請求項１〜９の何れか一項に記載の温度調整モジュール。
【請求項１１】
前記熱交換器は、前記１つまたは複数の熱伝達プレートの両側にフィンを含む、請求項１０に記載の温度調整モジュール。
【請求項１２】
前記１つまたは複数の熱伝達プレートはフィンを複数含む、請求項９〜１１の何れか一項に記載の温度調整モジュール。
【請求項１３】
前記１つまたは複数の熱伝達プレートは、導電性粘着剤、熱グリース、はんだまたはそれらの組み合わせによって、前記１つまたは複数の熱電素子に接続される、請求項９〜１２の何れか一項に記載の温度調整モジュール。
【請求項１４】
前記１つまたは複数の流体再循環ポンプは、前記流体循環回路内の流体が循環されないように前記熱電素子が熱を発生するときはオフであり、前記１つまたは複数の流体再循環ポンプは、前記流体再循環回路内の流体が循環されるように前記熱電素子が低温を発生させるときはオンである、請求項１〜１３の何れか一項に記載の温度調整モジュール。
【請求項１５】
前記流体循環回路は、前記１つまたは複数の流体再循環ポンプから、前記１つまたは複数の熱交換器に、前記１つまたは複数の熱交換器に延びるパイプを複数含み、そうすることで、前記複数のパイプによって流体回路が作り出される、請求項１〜１４の何れか一項に記載の温度調整モジュール。
【請求項１６】
前記温度調整モジュールには流体源への接続がない、請求項１〜１５の何れか一項に記載の温度調整モジュール。
【請求項１７】
前記温度調整モジュールは、前記１つまたは複数のモータ駆動インペラに電力供給する電気的接続を１つまたは複数含む、請求項１〜１６の何れか一項に記載の温度調整モジュール。
【請求項１８】
前記温度調整モジュールは、前記温度調整モジュールからの調整済みの空気を分配するための空気調和システムに接続される、請求項１〜１７の何れか一項に記載の温度調整モジュール。
【請求項１９】
前記温度調整モジュールは車両用シートの一部である、請求項１〜１８の何れか一項に記載の温度調整モジュール。
【請求項２０】
前記１つまたは複数の熱電素子を越えて送られる空気は温度が約１０度以上変化する、請求項１〜１９の何れか一項に記載の温度調整モジュール。
【発明の詳細な説明】
【技術分野】
【０００１】
本教示は、概して、一体型の液体冷却システムを含む熱電素子に関する。
【背景技術】
【０００２】
本教示は、熱電素子からの廃熱の改善された除去を提供することに基づく。現行のシステムは、廃棄空気がシステムから除去されるように、熱電素子の廃棄側を越えるように空気を移動させる。空気の流れを用いた廃棄温度の除去は調整済みの空気を生み出すのに十分である。しかし、廃棄温度（例えば、熱）の除去を改善するために液体を用いて熱電素子を冷却する試みが行われてきた。これら液体チューブは破裂する可能性があり、流体が車両用シートなどの構成要素に漏出する可能性がある。液体チューブはさらに、車両用シートの内部構成要素および／または組み込みプロセスによって孔があけられるかまたは切られる可能性があり、そうなると、システムが作動されるときに流体が車両用シート内に漏出する可能性がある。システムからの流体の漏出はシステムからの廃熱の除去を妨害する可能性があり、システムの動作は最適ではなくなる可能性があり、ユーザにとって望ましくない。
【０００３】
さらに、液体チューブは、シート、乗員、またはその両方の動きによって捩じれかつ／または押しつぶされる可能性があり、そうなると、システムを通る流体の流れが妨害および／または阻止され、廃熱の除去は実質的に低減および／または阻止される。さらに、液体冷却システムは、組み立て中にシステムを組み込み、互いに接続できるように、組み立て工場でかつ／または組み立て中に装入および／または注入しなければならない。漏出および性能の低下の可能性があるため、液体冷却システムは自動車分野では難なく使用されることはなかった。
【０００４】
熱電電気素子の冷却の例を特許文献１、特許文献２および特許文献３、ならびに特許文献４および特許文献５に見つけることができ、それらは全てそれらの全体があらゆる目的のために本明細書に援用される。
【０００５】
廃熱を除去する閉ループ液体システムを有することが魅力的である。空気調和システムのためのハウジングに一体化されかつ／またはその一部である液体ループを有することが魅力的である。必要なものは、組み立て中に組み込み作業者がシステムに装入かつ／または注入することなく空気調和システムを組み込みできるように、組み込む前に装入できるシステムである。必要なものは、液体の接続がなく、電気的接続だけを含むシステムである。
【先行技術文献】
【特許文献】
【０００６】
【特許文献１】米国特許第６，２２６，９９４号
【特許文献２】米国特許第７，５８７，９０１号
【特許文献３】米国特許第７，９６６，８３５号
【特許文献４】米国特許出願公開第２０１２／０１９２５７４号
【特許文献５】米国特許出願公開第２０１３／００５９１９０号
【発明の概要】
【課題を解決するための手段】
【０００７】
本教示は、一体型の廃熱冷却回路を有する温度調整モジュールであって、少なくとも１つの空気入口ならびに第１および第２の離間した空気出口を有する、ハウジングであって、第１および第２の離間した空気出口は、それぞれの第１および第２の独立の空気通路の終端部分を画定する、ハウジングと、ハウジング内で回転するように支持される１つまたは複数のモータ駆動インペラであって、少なくとも１つの空気入口ならびに第１および第２の空気通路のうちの一方または両方と流体連通状態にある、１つまたは複数のモータ駆動インペラと、１つまたは複数の流体再循環ポンプと、ハウジングの第１の通路内で１つまたは複数のモータ駆動インペラと第１の空気出口との間に配置される、１つまたは複数の熱電素子であって、第１の主要側および第２の廃棄側を有し、電源を印加すると第１の主要側と第２の廃棄側との間に温度勾配を発生させるように適合される、少なくとも１つの熱電素子と、ハウジングの第２の通路内で少なくとも１つのモータ駆動インペラと第２の空気出口との間に配置される、１つまたは複数の熱交換器と、（ｉ）ハウジング内に全体が収容されるか、（ｉｉ）ハウジングの一部を形成するか、または（ｉ）および（ｉｉ）の両方である、流体循環回路であって、流体循環回路は、１つまたは複数の流体再循環ポンプと流体連通状態にあり、１つまたは複数の熱電素子の第２の廃棄側と熱連通状態にある流体を送り、そうすることで、第２の側によって供給される廃熱の少なくとも一部分を吸収し、次いで、後続の再循環のために１つまたは複数の流体再循環ポンプに流体を戻す前に、熱交換器に廃熱の一部を放出するように１つまたは複数の熱交換器と熱連通状態にある流体を送る、流体循環回路と、を備え、１つまたは複数のモータ駆動インペラは、（ｉ）少なくとも１つの空気入口からの空気が、ハウジング内の第１の通路を通るように方向付けられ、１つまたは複数の熱電素子の第１の主要側を通り越した後で第１の出口から出て、（ｉｉ）少なくとも１つの空気入口からの空気が、ハウジングの第２の通路を通るように方向付けられ、１つまたは複数の熱交換器を通り越した後で第２の出口から出るように動作可能である、温度調整モジュールを提供することによって、本必要性のうちの（全てではないが）１つまたは複数を満たす。
【０００８】
本明細書の教示は、驚くべきことに、廃熱を除去する閉ループ液体システムを提供することによってこれら課題のうちの１つまたは複数を解決する。本明細書の教示は、空気調和システムのためのハウジングに一体化されかつ／またはその一部である液体ループを提供する。本明細書の教示は、組み立て中に組み込み作業者がシステムに装入かつ／または注入することなく空気調和システムを組み込みできるように、組み込む前に装入できるシステムを提供する。本明細書の教示は、液体の接続がなく、電気的接続だけを含むシステムを提供する。
【図面の簡単な説明】
【０００９】
【図１】温度調整モジュールを有する通気システムを含む車両用シートを示す。
【図２】温度調整モジュールの斜視図を示す。
【図３】温度調整モジュールの分解図を示す。
【図４】温度調整モジュールを通る流体の流れを示す。
【図５】温度調整モジュールのハウジングを通る流体の流れを示す。
【図６】温度調整モジュールの断面図を示す。
【図７】温度調整モジュールの流体ラインおよび再循環ポンプを示す。
【図８】ハウジング内に通気孔を含む調整モジュールを示す。
【発明を実施するための形態】
【００１０】
本明細書に提示される説明および図表は、本発明、その原理およびその実際の応用例を当業者に知らせることが意図される。当業者は、特定の使用の要件に最も良好に合わせることができる多数の形態で、本教示を適合および応用することができる。したがって、記載されるような本教示の特定の実施形態は、本教示を網羅するものでも限定するのでもない。したがって、本教示の範囲は、上記の記載に関して判定されるべきではなく、その代わりに、添付の特許請求の範囲に関して、そのような特許請求の範囲が権利を与えられる等価物の全範囲と併せて、判定されるべきである。特許出願および特許公報を含む全ての論文および参考文献の開示は、あらゆる目的のために援用される。以下の特許請求の範囲から集められるような他の組み合わせも可能であり、それらも本明細書においてこの書面による記載に援用される。
【００１１】
本教示の装置は１つまたは複数の製品に一体化することができる。その装置は、製品、製品のユーザ、またはその両方の冷却および／または加熱を行うことができる。装置は熱エネルギーの伝達および／または除去を行うことができる。製品は、自動車の構成要素、家事関係の構成要素、またはその両方とすることができる。好ましくは、製品は車両用シートである。製品はベッド、椅子、カウチ、冷却パッドまたはそれらの組み合わせとすることができる。製品は空気調和システムを含みかつ／またはそれに接続することができる。
【００１２】
空気調和システムは、冷却、加熱、またはその両方を行うように機能することができる。空気調和システムは、空気を調整し、その空気を乗員および／またはユーザに向かって移動させることができる。空気調和システムは、１つもしくは複数の空気分配装置、１つもしくは複数のチャネル、１つもしくは複数の袋、１つもしくは複数の流体透過層、１つもしくは複数の乗員接触面領域、またはそれらの組み合わせを含むことができる。空気調和システムはヒータおよびエアムーバを含むことができる。
【００１３】
ヒータは、熱を生み出すように機能するどのヒータでもよい。ヒータは、レイワイヤ（lay wire）、カーボテックス（carbotex）、抵抗性（resistive）（例えば、正温度係数ヒータ）、またはそれらの組み合わせでよい。ヒータは、車両用シートの表皮、空気調和システム、またはその両方に接続することができる。ヒータは、シートのフォームクッションを覆うようにかつ表皮の下に配置することができる。ヒータは、温度調和モジュールと共に使用することができる。
【００１４】
温度調和モジュールは、空気を移動させ、調整済みの空気を移動させ、乗員および／もしくはユーザを加熱し、乗員および／もしくはユーザを冷却するか、またはそれらを組み合わせて行うように機能することができる。温度調和モジュールは冷却効果をもたらすことができる。温度調和モジュールは、熱電素子、ペルチェ素子、またはその両方を含むことができる。好ましくは、温度調和モジュールは、乗員と接触するように移動される空気ストリームに熱エネルギーを供給することができる。例えば、冷却された空気を車両用シートの乗員またはカウチの乗員に吹き付けることができる。温度調和モジュールはハウジングを１つまたは複数含むことができる。
【００１５】
１つまたは複数のハウジングは、温度調和ハウジングの構成要素（例えば、流体ライン、熱電素子、インペラ）を保護するように機能することができる。１つまたは複数のハウジングは、シートに組み込まれる必要がある単一パッケージを作り出すように機能することができる。１つまたは複数のハウジングは、１つもしくは複数の空気入口、１つもしくは複数の空気出口、１つもしくは複数の空気通路、１つもしくは複数の通気孔、１つもしくは複数の流体ライン、またはそれらの組み合わせを含むことができる。１つまたは複数のハウジングは流体の通過のためのチャネルを含むことができる。ハウジングは、温度調和モジュールの構成要素の全てを一緒に一体化する単一パッケージを保持するか、保護するか、収容するか、提供するか、またはそれらを組み合わせて行うように機能することができる。ハウジングは剛体材料から作製することができる。ハウジングはプラスチックから作製することができる。ハウジングは耐穿刺性とすることができる。ハウジングは、ナイロン、デルリン（delrin）、アクリロニトリル・ブタジエン・スチレン樹脂、ポリプロピレン、ポリエチレン、ビニル、ポリカーボネート、熱可塑性エラストマー、アクリルまたはそれらの組み合わせから作製することができる。ハウジングは少なくとも１つの空気入口および２つの空気出口を含むことができる。
【００１６】
空気出口は、乗員、ユーザ、またはその両方に向かう調整済みの空気の移動を可能にするように機能することができる。空気出口は、システムからの廃棄空気の除去を可能にするように機能することができる。空気出口は、調整済みの空気、廃棄空気、またはその両方を温度調和モジュールから除去し所望の位置（例えば、シートの分配袋）に移動させることができるように、１つもしくは複数の導管、延長部分、テール、通路、またはそれらの組み合わせにつながることができる。好ましくは、ハウジングは、少なくとも、第１の空気出口を有する第１の空気通路および第２の空気出口を有する第２の空気通路を含む。空気出口、ハウジング、またはその両方は、１つまたは複数の通気孔を含むことができる。
【００１７】
１つまたは複数の通気孔は、空気を循環させるか、空気の層流を防ぐか、デッドスポットを防ぐか、ハウジングを通して空気を移動させるか、通路を通して空気を移動させるか、温度調和モジュールを通して空気を移動させるか、またはそれらを組み合わせて行うように機能することができる。１つまたは複数の通気孔は、入口を通して導入されることなく、ハウジング内で空気が移動されることを可能にすることができる。１つまたは複数の通気孔は、陰圧がハウジング内に生み出されることを阻止することができる。１つまたは複数の通気孔は空気が特定の方向に移動されるように傾斜してもよく、ハウジングの壁に実質的に垂直でもよく、その両方でもよい。１つもしくは複数の通気孔、１つもしくは複数の空気通路、１つもしくは複数の出口、１つもしくは複数の入口、またはそれらの組み合わせは、１つもしくは複数のインペラ、１つもしくは複数のエアムーバ、１つもしくは複数のブロワ、またはそれらの組み合わせと流体連通状態にすることができる。
【００１８】
１つまたは複数のインペラは、温度調和モジュール、ハウジング、空気通路、通気孔、またはそれらの組み合わせを通して空気を移動させるように機能する。インペラはブロワ、エアムーバ、またはその両方の一部とすることができる。インペラはモータ駆動である。インペラは、直接的に、間接的に、またはその両方の状態でモータに接続することができる。複数のインペラを単一のモータに接続することができる。例えば、単一のモータが２以上のインペラを駆動することができる。各モータは、１つもしくは複数のインペラ、２以上のインペラ、またはそれどころか３以上のインペラを駆動することができる。２以上のインペラ間で電力を分配するためにモータと２以上のインペラとの間に差動装置（differential）を配置することができる。モータは、２以上のインペラを同じ速度で、異なる速度で、またはその両方の状態で駆動することができる。モータは２以上のインペラを選択的に駆動することができる。インペラはプラスチック、金属、または両者の組み合わせから作製することができる。インペラは空気を移動させるフィンを複数含むことができる。１つまたは複数のインペラは空気を半径方向に移動させることができる。１つまたは複数のインペラは廃棄インペラおよび主インペラとすることができる。
【００１９】
主インペラは、乗員に向けて、ユーザに向けて、またはその両方に向けて調整済みの空気を移動させるように機能することができる。主インペラは、第１の通路、第２の通路、またはその両方を通して空気を移動させることができる。好ましくは、主インペラだけが第１の通路を通して空気を移動させる。主インペラは廃棄インペラに隣接して配置することができる。主インペラは廃棄空気を除去することができる。主インペラによって発生する空気流は乗員に向けてチャネルで運ぶことができ、その空気流の一部は廃棄ストリームを生み出すようにチャネルで運ぶことができる。空気流の分配は、チャネルで運ぶことによっておよび／またはハウジングに配置される通路によって調節することができる。主インペラはハウジングの第１の側に配置することができ、廃棄インペラはハウジングの第２の側に配置することができる。
【００２０】
廃棄インペラは、温度調和モジュールからの廃棄物を除去するように機能することができる。好ましくは、廃棄インペラは温度調和モジュールからの廃熱を除去する。廃棄インペラは１つもしくは複数の空気通路、１つもしくは複数の出口、１つもしくは複数の通気孔、またはそれらの組み合わせを通して空気を移動させることができる。廃棄インペラはシステムの流体が冷却されるように熱交換器全体にわたって流体を移動させることができる。廃棄インペラ、主インペラ、またはその両方は、流体循環回路の一部でありかつ／またはそれとは別個のものとすることができる。廃棄インペラ、主インペラ、またはその両方は、同じ装置とすることができ、かつ／または同じモータに接続することができる。廃棄インペラ、主インペラ、またはその両方は流体循環回路に関連して働くことができる。
【００２１】
流体循環回路は、温度調和モジュール全体にわたって流体媒体を還流させることによって、システムから熱を除去するように機能することができる。流体循環回路はハウジング内で全面的に密閉することができる。流体循環回路は、ハウジングを通って、ハウジングの２以上の部片間を、またはその両方で延在することができる。流体循環回路は、ハウジングの一部分に入れるか、ハウジングの一部とするか、ハウジングに接続するか、またはそれらを組み合わせた状態にすることができる。流体循環回路は、互いに接続される別々の複数のラインを含むことができる。流体循環回路はハウジングの不可分の一部とすることができる。流体循環回路は閉ループを含みかつ／または閉ループとすることができる。流体循環回路は廃熱、廃棄低温、またはその両方を除去することができる。流体循環回路はポンプを１つまたは複数含むことができる。
【００２２】
１つまたは複数のポンプは流体媒体を循環させることができる。１つまたは複数のポンプは、流体媒体を間欠的に循環させるか、流体媒体を連続して循環させるか、またはその両方を行うことができる。１つまたは複数のポンプは、熱交換器を通して、流体ラインを通して、熱電素子を通して、熱伝達プレートを通して、またはそれらを組み合わせて、流体媒体を移動させることができる。１つまたは複数のポンプは、流体媒体が常に液体である位置に（例えば、廃熱交換器の後に）あってよい。１つまたは複数のポンプは、液体、ガス、またはその両方の組み合わせを移動させることができる。１つまたは複数のポンプは、ガスをポンプ輸送できるようにガスを圧縮することができる。１つまたは複数のポンプは、容積式ポンプ、歯車ポンプ、ねじポンプ、一軸ねじポンプ、蠕動ポンプ、プランジャポンプ、またはそれらの組み合わせとすることができる。１つまたは複数のポンプは、廃熱エネルギーが効率的に除去される定常状態の条件にシステムが達するように十分な流体を循環させることができる。好ましくは、１つまたは複数のポンプは、流体が１つまたは複数の熱交換器を通して連続して再循環されるように、流体媒体を再循環させる。
【００２３】
１つまたは複数の熱交換器は、システムから廃熱エネルギーを除去するか、熱エネルギーを流体媒体に移入するか、またはその両方を行うことができる。１つまたは複数の熱交換器は、流体媒体の温度を変化させるように機能することができる。１つまたは複数の熱交換器は、好ましくは、流体媒体から廃熱を除去する。１つまたは複数の熱交換器は、熱エネルギーを除去しかつ／または熱エネルギーを導入するためのフィンを複数含むことができる。複数のフィンは、液体の温度が変化するように液体から気体に熱エネルギーを伝達することができる。１つまたは複数の熱交換器は、流体媒体と直接接触する状態、流体媒体と非直接接触する状態、またはその両方の組み合わせでよい。システムは、１つまたは複数の熱交換器、好ましくは、２以上の熱交換器、またはそれどころか３以上の熱交換器を含むことができる。熱交換器は、熱電素子、ペルチェ素子、またはその両方から熱を除去するように機能することができる。熱交換器は、熱伝達プレートを１つまたは複数含むことができる。熱交換器は、熱交換器を通して流体が移動されるように、流体伝達ラインを１つまたは複数含むことができる。熱交換器は、熱および／または低温が１つまたは複数の熱交換器を介してシステムから除去されるように、ある部分では流体媒体の通過を、別の部分では１つまたは複数のインペラからの空気の通過を可能にすることができる。熱交換器、熱交換器に供給する流体ライン、またはその両方は、ハウジング内に全体が配置されるか、ハウジングによって保護されるか、ハウジングに接続されるか、またはそれらを組み合わせて行うことができる。１つまたは複数の熱交換器はハウジングに接続することができる。１つまたは複数の熱交換器は、１つもしくは複数のファスナ、摩擦嵌め、締まり嵌め、ハウジング中に成形すること、またはそれらの組み合わせによってハウジングに接続することができる。好ましくは、複数のねじが熱交換器とハウジングとを接続する。１つまたは複数の熱交換器は、１つまたは複数の熱伝達プレートに接続しかつ／またはそれを含むことができる。
【００２４】
１つまたは複数の熱伝達プレートは、温度および／または熱エネルギーをシステムから除去するか、システム内の別の場所に移動させるか、またはその両方を行うことできるように、温度（例えば、低温および／または熱）および／または熱エネルギーを除去するように機能することができる。１つまたは複数の熱伝達プレートは、熱エネルギーを流体伝達媒体に導入するように機能することができる。１つまたは複数の熱伝達プレートは、流体伝達媒体と直接接触状態にあってよい。１つまたは複数の熱伝達プレートは、熱伝達を助けるためにバッフル、フィン、またはその両方を含むことができる。１つまたは複数の熱プレートは、１つまたは複数の側で、熱交換器、熱電素子、ペルチェ素子、またはそれらの組み合わせと接触状態にあってよい。１つまたは複数の熱伝達プレートは、熱グルー、サーマルペースト、ファスナ、導電性粘着剤、熱グリース、はんだ、またはそれらの組み合わせによって、熱交換器、熱電素子、ペルチェ素子、またはそれらの組み合わせに接続することができる。１つまたは複数の熱伝達プレートは、摩擦嵌め、ファスナ、締まり嵌め、圧入、またはそれらの組み合わせによってハウジングに接続することができる。１つまたは複数の熱伝達プレートは、熱伝達ラインに接続することによって、ハウジング内で接続することができる。ハウジングカバーがハウジング内で熱伝達プレートを挟むことができる。１つまたは複数の熱伝達プレートは、熱伝達プレートから流体伝達媒体を導入および／または除去するための流体ラインを１つまたは複数含むことができる。
【００２５】
１つまたは複数の熱伝達ラインは、熱交換器、熱電素子、ペルチェ素子、ポンプ、またはそれらの組み合わせの間で流体伝達媒体を移動させるように機能することができる。１つまたは複数の熱伝達ラインは、印加位置から熱エネルギーを除去し、その熱エネルギーを、システムから熱エネルギーが除去される廃棄位置に移動させるように機能することができる。１つまたは複数の熱伝達ラインは、ハウジング内に配置される別個のラインとすることができる。１つまたは複数の熱伝達ラインはハウジングに接続することができる。１つまたは複数の熱伝達ラインはハウジングの不可分の一部とすることができる。１つまたは複数の熱伝達ラインはハウジングとは別個とすることができるが、ハウジングは、回路を形成するために熱伝達ラインのうちの２以上を一緒に接続することができる。１つまたは複数の熱伝達ラインは、ハウジング内に部分的に配置されるか、部分的にハウジングの一部であるか、ハウジングの外側に部分的に配置されるか、またはそれらを組み合わせて行うことができる。好ましくは、１つまたは複数の熱伝達ラインはハウジング内に全体的に配置することができる。熱伝達ラインがハウジング内に全体的に配置されるときは、熱伝達ラインに注入するために流体伝達ラインの一部分を露出することができる。
【００２６】
１つまたは複数の熱伝達ラインは１つまたは複数の廃熱ラインとすることができる。廃熱ラインは、熱電素子と熱交換器との間、ペルチェ素子と熱交換器との間、またはその両方で流体媒体を供給することができる。１つまたは複数の廃棄ラインは、印加位置（すなわち、調整済みの空気がユーザに向かって移動される位置）から廃棄位置に熱エネルギーを移動させることができる。１つまたは複数の廃棄ラインは、不要な熱エネルギーをシステムから除去できる位置に不要な熱エネルギーを伝達するように機能することができる。
【００２７】
１つまたは複数の熱伝達ラインは再循環ラインとすることができる。再循環ラインは、熱交換器から１つまたは複数のポンプに延びることができ、そうすることで、ポンプは、冷却された流体媒体をシステム全体にわたって循環させることができる。１つまたは複数の熱伝達ラインは冷却ラインとすることができる。冷却ラインは、ポンプから熱電素子、ペルチェ素子、またはその両方に延びることができる。１つまたは複数の熱伝達ラインは、１つもしくは複数の注入口、１つもしくは複数の排出口、１つもしくは複数の装入口、またはそれらの組み合わせを含むことができる。
【００２８】
１つまたは複数の熱伝達ラインは、注入口、排出口、装入口、またはそれらの組み合わせがなくてよい。１つまたは複数の注入口は、単一の注入口とすることができ、注入が完了すると注入口は恒久的にシールすることができる。１つまたは複数の注入口は再利用可能とすることができる。１つもしくは複数の注入口、１つもしくは複数の流体伝達ライン、またはその両方は、流体伝達媒体リザーバを含みかつ／またはそれと連通状態にすることができる。１つまたは複数のリザーバは、流体伝達媒体の相変化の際に流体伝達ライン内に一定の圧力を維持することができる。１つまたは複数のリザーバは、流体伝達媒体の過熱の際にオーバーフローを生み出し、流体伝達媒体が低温のときに、追加の流体伝達集合を加えることができる。１つまたは複数のリザーバは、熱伝達ライン内に配置するか、熱伝達ラインの近傍に配置するか、熱伝達ラインの一部とするか、またはそれらを組み合わせた状態にすることができる。
【００２９】
１つまたは複数の熱伝達ラインは、流体伝達媒体に耐性があるか、熱の伝達を助けるか、損傷されずに流体の圧力を受けることができるか、またはそれらの組み合わせであるどのような材料からも作製することができる。流体伝達ラインは、天然材料、合成材料、熱可塑性物質、プラスチック、ナイロン、アクリロニトリル・ブタジエン・スチレン樹脂（ＡＢＳ、acrylonitrile butadiene styrene）、ポリ塩化ビニル（ＰＶＣ、polyvinyl chloride）、ポリプロピレン（ＰＰ、polypropylene）、ポリエチレン（ＰＥ、polyethylene）、ポリフッ化ビニリデン（ＰＶＤＦ、polyvinylidene fluoride）またはそれらの組み合わせから作製することができる。流体伝達媒体は、システムから熱および／または低温を除去するように機能することができる。
【００３０】
流体伝達媒体は、熱、低温、またはその両方を急速に受け取るようにおよび放出するように機能することができる。流体伝達媒体は、水、グリコール、エチレングリコール、ジエチレングリコール、プロピレングリコール、冷却材、グリセリン、またはそれらの組み合わせでよい。流体伝達媒体は、流体が流れる十分に高い粘性とすることができる。流体伝達媒体はポンプ輸送可能とすることができる。流体伝達媒体は、熱を受け取るか、熱を放出するか、またはその両方を行うときに相変化を受けることはできない。流体伝達媒体は（例えば、液体から蒸気に移行し、次いで液体に戻る）相変化を受けることができる。流体伝達媒体は、加熱構成、冷却構成、またはその両方において相変化を受けることができる。流体伝達媒体は、相変化のときに流体伝達媒体がラインを通して移動されるように流体伝達媒体が逃げることを阻止するシールされたライン内とすることができる。流体伝達媒体は、熱電素子、熱電素子と連通状態にある熱伝達プレート、またはそれらの組み合わせを通して進みかつ／またはその近傍を進むことができる。
【００３１】
熱電素子は、熱を発生させるか、低温を発生させるか、またはその両方を行うように機能することができる。熱電素子は、ハウジング、熱伝達プレート、またはその両方に接続することによって、システム内で接続することができる。１つまたは複数の熱電素子は流体伝達ラインに接続することができ、流体伝達ラインは、ハウジング内で熱電素子を接続するのを助けることができる。熱電素子は、１つまたは複数のファスナを介してハウジングに直接的に接続することができる。熱電素子は熱伝達プレートに接続することができ、熱伝達プレートは１つまたは複数のファスナを介してハウジングに接続することができる。熱電素子は主要側、廃棄側、またはその両方を有することができる。熱電素子は、熱電素子の主要側全体にわたって空気が移動されるときに空気を調整することができる。熱電素子は、熱、低温、またはその両方を伝達するためのフィンを１つまたは複数含むことができる。本明細書の教示と共に使用できる熱電素子のいくつかの例には、米国特許第６，１１９，４６３号および第６，２２３，５３９号ならびに米国特許出願公開第２００８／０１７３０２２号、第２０１２／０３０５０４３号、および第２０１３／０１０４９５３号で教示されるものが含まれ、それらは全てそれらの全体があらゆる目的のために本明細書に援用される。熱電素子、流体伝達プレート、熱伝達ライン、またはそれらの組み合わせは、熱バリアを１つまたは複数含むことができる。
【００３２】
１つまたは複数の熱バリアは、流体が加熱および／または冷却された後の熱伝達流体への熱エネルギーの伝達を阻止することができる。１つまたは複数の熱バリアは、熱エネルギーが外気に伝達されること、ハウジング内で空気が動く際に伝達されること、またはその両方を阻止することができる。１つまたは複数の熱バリアは、不要な熱エネルギーが乗員に伝達されないような位置にあってよい。１つまたは複数の熱バリアは断熱材とすることができる。１つまたは複数の熱バリアは、騒音バリア、振動バリア、またはその両方とすることができる。１つまたは複数の熱バリアは、熱交換、振動、音、またはそれらの組み合わせから遮断することができる。
【００３３】
図１は空気調和システム４を含む車両用シート２の一例を示す。空気調和システム４は温度調和モジュール６を含み、その温度調和モジュール６は、車両用シート２の乗員に調整をもたらすために空気調和システム４に接続される。
【００３４】
図２は温度調和モジュール６の一例を示す。温度調和モジュール６は、空気入口１２と、第１の空気出口１６を有する第１の空気通路１４と、第２の空気出口２０を有する第２の空気通路１８とを有する、ハウジング１０を含む。空気入口１２により、空気がインペラ４０によってハウジング１０に引き込まれ、次いで、第１の空気通路１４を通って熱電素子８０を越えて移動し第１の空気出口１６から出ることを可能にする。空気はまた、空気入口１２を通ってハウジング１０中に引きこまれ、インペラ４０がその空気を、第２の空気通路１８を通して熱交換器５４を越えて移動させ第２の空気出口２０から出す。
【００３５】
図３は、温度調和モジュール６の一例の分解図を示す。温度調和モジュール６は、廃棄インペラ４０Ｂに空気を供給する空気入口１２を有する上部ハウジング１０を有する。廃棄インペラ４０Ｂは、熱が温度調和モジュール６から除去されるように、第２の空気通路１８を通して熱交換器５４を越えて空気を移動させ第２の空気出口２０から出す。温度調和モジュール６は、主インペラ４０Ａに空気を供給する空気入口１２を有する底部ハウジング１０を有する。主インペラ４０Ａは、熱電素子８０によって調整された空気が乗員を冷却および／または加熱するように、第１の空気通路１４を通して熱電素子８０を越えて空気を移動させ第１の空気出口１６から出す。主インペラ４０Ａおよび廃棄インペラ４０Ｂは、別々の２つの空気ストリームが生み出されるように背中合わせになっている。主インペラ４０Ａおよび廃棄インペラ４０Ｂの両方が、インペラを回転させて空気流を作り出すモータ４２を含む。熱電素子８０は、熱電素子８０から熱を除去するのを助けるように、流体を含む熱伝達プレート５６と接触状態にある。流体は熱電素子８０によって加熱され、加熱された流体は廃熱ライン５８を通して熱交換器５４に移動される。熱交換器５４は、熱交換器の２つの部分間に配置される熱伝達プレート５６を含む。空気は熱交換器５４を越えて移動され、流体の熱は大気に放出され、冷却された流体は再循環ライン６０を通してポンプに移動され、そのポンプは、プロセスが繰り返されるように冷却ライン６２を通して熱電素子８０に流体を移動および再循環させる。
【００３６】
図４は、温度調和モジュール６の流体の経路を、ハウジングを取り外した状態で示す。温度調和モジュール６は１対のモータ駆動インペラ４０を含む。主インペラ４０Ａは、調整済みの空気が車両用シートなど所望の位置に移動されるように、熱電素子８０を越えるように方向１１０に空気を移動させる。廃棄インペラ４０Ｂは、熱電素子８０によって発生する廃熱が温度調和モジュール６から除去されるように、熱交換器５４を越えるように方向１２０に空気を移動させる。流体が、温度調和モジュール６全体を通して循環されて、廃熱を除去する。流体は、ポンプ５２から方向１００に移動され熱電素子８０を通って方向１０２に移動される。流体は熱電素子８０から方向１０４に移動され熱交換器５４に至り、熱交換器を通って方向１０６に移動される。流体は熱交換器５４から方向１０８に移動されポンプ５２に至り、ここで、流体が再循環される。
【００３７】
図５は、空気ストリームが第１の空気通路１４と第２の空気通路１８との間で分かれる、単一のインペラ４０を有する温度調和モジュール６の一例を示す。空気ストリームの一部が熱交換器５４を越えて方向１１０に移動して、熱が除去される第２の空気出口２０から出る。空気ストリームの他の部分は方向１２０に移動され、方向１２０では、空気ストリームが第２の方向において下に落ち、次いで、熱電素子８０（図示せず）を越えて流れて、調整済みの空気を所望の位置に輸送する。
【００３８】
図６は、インペラ４０を２つ含む温度調和モジュール６の断面図を示す。主インペラ４０Ａおよび廃棄インペラ４０Ｂは流体に関して隔離される。主インペラ４０Ａからの流体は熱電素子８０を越えて方向１１０に移動し、廃棄インペラ４０Ｂからの流体は熱交換器５４を越えて方向１２０に移動する。
【００３９】
図７は流体循環回路５０を示す。流体再循環回路５０はポンプ５２を含み、そのポンプ５２は、冷却ライン６２によって熱電素子８０に、次いで、廃熱ライン５８を通して熱交換器５４に、最後に、再循環ライン６０によってポンプ５２に戻るように流体を移動させる。図示のように、再循環ライン６０は、流体循環回路５０を満たすための注入口（図示せず）を含むが、その注入口は流体循環回路５０に沿ったどの点に配置してもよい。
【００４０】
図８は通気孔２２を含むハウジング１０を示す。それら通気孔２２は、方向１２０の空気の循環を促すように、予想されるデッドスペース中に空気を導入し、そうすることで、モジュール全体が冷却される。
【００４１】
本発明で列挙される数値はいずれも、任意の低い値と任意の高い値との間に少なくとも２単位の隔たりがある場合、低い値から高い値まで１単位ずつ増加する全ての値を含む。一例として、構成要素の量、または例えば、温度、圧力、時間などのプロセス変量の値が例えば、１から９０、好ましくは２０から８０、より好ましくは３０から７０であると記される場合、１５から８５、２２から６８、４３から５１、３０から３２などの値が本明細書に明確に列挙されることが意図される。１未満の値の場合は、１単位は必要に応じて０．０００１、０．００１、０．０１または０．１であるとみなされる。これらは具体的に意図された単なる例であり、列挙される最低値と最高値との間にある数値の可能な組み合わせは全て、同様にして本明細書に明記されていると考えるべきである。
【００４２】
別段の言及がない限り、全ての範囲が両方の端点およびその端点間の全ての数を含む。範囲に関して用いられる「約（about）」または「約（approximately）」はその範囲の両端に適用される。したがって、「約２０から３０（about 20 to 30）」とは、少なくとも明示された端点を含む「約２０から約３０（about 20 to about 30）」を包含するものである。
【００４３】
特許出願および特許公報を含む全ての論文および参考文献の開示は、あらゆる目的のために援用される。組み合わせを説明する用語「本質的に成る（consisting essentially of）」は、特定の要素、材料、構成要素またはステップと、その組み合わせの基本的かつ新たな特徴に事実上影響を及ぼさない他の要素、材料、構成要素またはステップとを含むものとする。本明細書の要素、材料、構成要素またはステップの組み合わせを説明する用語「備える（comprising）」または「含む（including）」の使用は、それらの要素、材料、構成要素またはステップから本質的に成る実施形態も企図する。本明細書で用語「可能性がある（may）」を使用することにより、含まれる「可能性がある（may）」記載された任意の属性が随意的であることが意図される。
【００４４】
複数の要素、材料、構成要素またはステップは、単一の統合された要素、材料、構成要素またはステップで提供することができる。あるいは、単一の統合された要素、材料、構成要素またはステップは、別々の複数の要素、材料、構成要素またはステップに分割することができる。要素、材料、構成要素またはステップを説明する「１つ（a）」または「１つ（one）」の開示は、追加の要素、材料、構成要素またはステップを除外するものではない。
【００４５】
上記の記載が例示的であり、限定的でないことが意図されると理解される。上記の記載を読むと、提示される例以外に多くの実施形態ならびに多くの応用例が当業者には明らかであろう。したがって、本教示の範囲は、上記の記載に関して判定されるべきではなく、その代わりに、添付の特許請求の範囲に関して、そのような特許請求の範囲が権利を与えられる等価物の全範囲と併せて、判定されるべきである。特許出願および特許公報を含む全ての論文および参考文献の開示は、あらゆる目的のために援用される。本明細書に開示される主題の任意の態様に関する以下の特許請求の範囲における省略は、そのような主題の放棄ではなく、発明者らがそのような主題を開示された発明の主題の一部であると考えないと見なされるべきではない。
【図１】
2017518912.tif 000003
【図２】
2017518912.tif 000004
【図３】
2017518912.tif 000005
【図４】
2017518912.tif 000006
【図５】
2017518912.tif 000007
【図６】
2017518912.tif 000008
【図７】
2017518912.tif 000009
【図８】
2017518912.tif 000010
【手続補正書】
【提出日】平成28年3月6日(2016.3.6)
【手続補正１】
【補正対象書類名】特許請求の範囲
【補正対象項目名】全文
【補正方法】変更
【補正の内容】
【特許請求の範囲】
【請求項１】
一体型の廃熱冷却回路を有する温度調整モジュール（６）であって、
少なくとも１つの空気入口（１２）ならびに第１および第２の離間した空気出口（１６、２０）を有する、ハウジング（１０）であって、前記第１および第２の離間した空気出口は、それぞれの第１および第２の独立の空気通路の終端部分を画定する、ハウジング（１０）と、
前記ハウジング内で回転するように支持される１つまたは複数のモータ駆動インペラ（４０）であって、前記少なくとも１つの空気入口ならびに前記第１および前記第２の空気通路（１４、１８）のうちの一方または両方と流体連通状態にある、１つまたは複数のモータ駆動インペラ（４０）と、
前記ハウジング内に配置される１つまたは複数の流体再循環ポンプと、
前記ハウジングの前記第１の通路内で前記１つまたは複数のモータ駆動インペラと前記第１の空気出口との間に配置される、１つまたは複数の熱電素子（８０）であって、第１の主要側および第２の廃棄側を有し、電源を印加すると前記第１の主要側と前記第２の廃棄側との間に温度勾配を発生させるように適合される、少なくとも１つの熱電素子（８０）と、
前記ハウジングの前記第２の通路内で前記少なくとも１つのモータ駆動インペラと前記第２の空気出口との間に配置される、１つまたは複数の熱交換器（５４）と、
（ｉ）前記ハウジング内に全体が収容されるか、（ｉｉ）前記ハウジングの一部を形成するか、または（ｉ）および（ｉｉ）の両方である、流体循環回路（５０）であって、前記流体循環回路は、前記１つまたは複数の流体再循環ポンプと流体連通状態にあり、前記１つまたは複数の流体再循環ポンプは、流体を、
ａ）前記１つまたは複数の熱電素子の前記第２の廃棄側と熱連通状態にあり、そうすることで、前記１つまたは複数の熱電素子の前記第２の廃棄側によって供給される廃熱の少なくとも一部分を吸収する、１つまたは複数の廃熱用伝達プレート、および
ｂ）前記１つまたは複数の廃熱用伝達プレートの下流に配置される、１つまたは複数の熱交換用熱伝達プレートであって、前記１つまたは複数の熱交換用熱伝達プレートは、後続の再循環のために前記１つまたは複数の流体再循環ポンプに前記流体を戻す前に、前記１つまたは複数の熱交換用熱伝達プレートから前記熱交換器に前記廃熱の少なくとも前記一部分を放出するように、前記１つまたは複数の熱交換器と接触状態にあり、前記流体は液体である、１つまたは複数の熱交換用熱伝達プレート
を通して送る、流体循環回路（５０）と、
を備える温度調整モジュールであって、
前記１つまたは複数のモータ駆動インペラは、（ｉ）前記少なくとも１つの空気入口からの空気が、前記ハウジング内の前記第１の通路を通るように方向付けられ、前記１つまたは複数の熱電素子の前記第１の主要側を通り越した後で前記第１の出口から出て、（ｉｉ）前記少なくとも１つの空気入口からの空気が、前記ハウジング内の前記第２の通路を通るように方向付けられ、前記１つまたは複数の熱交換器を通り越した後で前記第２の出口から出るように動作可能であり、
前記ハウジングは、前記１つまたは複数のモータ駆動インペラ、前記１つまたは複数の流体再循環ポンプ、前記１つまたは複数の熱電素子、前記１つまたは複数の熱交換器、前記廃熱用伝達プレート、前記熱交換用熱伝達プレートおよび前記流体循環回路を収容する単一パッケージを形成し、そうすることで、前記単一パッケージは製品に組み込まれることが可能である、温度調整モジュール（６）。
【請求項２】
前記流体循環回路は、流体を連続して再循環させる閉ループである、請求項１に記載の温度調整モジュール。
【請求項３】
前記１つまたは複数のモータ駆動インペラは２つのモータ駆動インペラ（４０Ａ、４０Ｂ）であり、一方のモータ駆動インペラは前記１つまたは複数の熱交換器全体にわたって空気を移動させ、一方のモータ駆動インペラは前記１つまたは複数の熱電素子全体にわたって空気を移動させる、請求項１〜２の何れか一項に記載の温度調整モジュール。
【請求項４】
前記少なくとも１つの空気入口は対向する２つの空気入口であり、前記空気入口のそれぞれは前記２つのモータ駆動インペラのうちの一方と位置合わせされる、請求項３に記載の温度調整モジュール。
【請求項５】
前記流体はグリコール、水、冷却材またはそれらの組み合わせである、請求項１〜４の何れか一項に記載の温度調整モジュール。
【請求項６】
前記ハウジングは、前記ハウジングに入る空気が前記第２の出口に向かって移動して前記ハウジング全体にわたる空気の循環を可能にするように前記第２の出口に向かって傾斜した通気孔（２２）を１つまたは複数含む、請求項１〜５の何れか一項に記載の温度調整モジュール。
【請求項７】
前記１つまたは複数の通気孔（２２）は、前記１つもしくは複数のモータ駆動インペラの周りの空気、静止空気を有する領域からの空気、またはその両方を循環させる、請求項６に記載の温度調整モジュール。
【請求項８】
前記流体循環回路は、前記流体循環回路に流体を追加できるように注入口を１つまたは複数含む、請求項１〜７の何れか一項に記載の温度調整モジュール。
【請求項９】
前記熱交換器は、前記１つまたは複数の熱交換用熱伝達プレートの両側にフィンを含む、請求項１に記載の温度調整モジュール。
【請求項１０】
前記１つまたは複数の廃熱用伝達プレートはフィンを複数含む、請求項１〜９の何れか一項に記載の温度調整モジュール。
【請求項１１】
前記１つまたは複数の廃熱用伝達プレート、前記１つまたは複数の熱交換用熱伝達プレート、またはその両方は、前記１つまたは複数の熱電素子、前記１つまたは複数の熱交換器、またはその両方に、それぞれ導電性粘着剤、熱グリース、はんだまたはそれらの組み合わせによって接続される、請求項１〜１０の何れか一項に記載の温度調整モジュール。
【請求項１２】
前記１つまたは複数の流体再循環ポンプは、前記流体循環回路内の流体が循環されないように前記熱電素子が熱を発生するときはオフであり、前記１つまたは複数の流体再循環ポンプは、前記流体再循環回路内の流体が循環されるように前記熱電素子が低温を発生させるときはオンである、請求項１〜１１の何れか一項に記載の温度調整モジュール。
【請求項１３】
前記流体循環回路は、前記１つまたは複数の流体再循環ポンプから、前記１つまたは複数の廃熱用伝達プレートに、前記１つまたは複数の熱交換用熱伝達プレートに、次いで、前記１つまたは複数の流体再循環ポンプに延びるパイプを複数含み、そうすることで、前記複数のパイプによって流体回路が作り出される、請求項１〜１２の何れか一項に記載の温度調整モジュール。
【請求項１４】
前記温度調整モジュールには流体源への接続がない、請求項１〜１３の何れか一項に記載の温度調整モジュール。
【請求項１５】
前記温度調整モジュールは、前記１つまたは複数のモータ駆動インペラに電力供給する電気的接続を１つまたは複数含む、請求項１〜１４の何れか一項に記載の温度調整モジュール。
【請求項１６】
前記温度調整モジュールは、前記温度調整モジュールからの調整済みの空気を分配するための空気調和システムに接続される、請求項１〜１５の何れか一項に記載の温度調整モジュール。
【請求項１７】
前記温度調整モジュールは車両用シートの一部である、請求項１〜１６の何れか一項に記載の温度調整モジュール。
【請求項１８】
前記１つまたは複数の熱電素子を越えて送られる空気は温度が約１０度以上変化する、請求項１〜１７の何れか一項に記載の温度調整モジュール。
【請求項１９】
前記１つまたは複数の廃熱用伝達プレートおよび前記１つまたは複数の熱電素子ならびに前記１つまたは複数の熱交換用熱伝達プレートおよび前記１つまたは複数の熱交換器は前記ハウジング内で挟まれている、請求項１〜１８の何れか一項に記載の温度調整モジュール。
【国際調査報告】
2017518912.tif 000011
2017518912.tif 000012